(57)【特許請求の範囲】
【請求項１】
ディスプレイ画面上に、文字入力画面、文字入力用のキーボード画面および映像を表示する場合の画面表示制御方法であって、
ディスプレイ画面上に文字入力画面を表示している状態で、当該文字入力画面の一部領域に文字を入力する操作が実行されたときには、当該文字入力画面の上記一部領域と異なる他部領域にキーボード画面を表示するとともに、当該文字入力画面の上記一部領域の一部に子画面を設定して映像を表示し、当該文字入力画面の上記他部領域に文字を入力する操作が実行されたときには、当該文字入力画面の上記一部領域にキーボード画面を表示するとともに、当該文字入力画面の上記他部領域の一部に子画面を設定して映像を表示することを特徴とする画面表示制御方法。
【請求項２】
ディスプレイ画面上に、文字入力画面、文字入力用のキーボード画面および映像を表示する場合の画面表示制御装置であって、
ディスプレイ画面上に文字入力画面が表示されている状態で、当該文字入力画面に文字を入力する操作が実行されたとき、当該の操作が、当該文字入力画面の一部領域に文字を入力する操作であるか、当該文字入力画面の上記一部領域と異なる他部領域に文字を入力する操作であるか、を判断する手段と、
この判断手段が上記一部領域に文字を入力する操作が実行されたと判断したときには、上記他部領域にキーボード画面を表示するとともに、上記一部領域の一部に子画面を設定して映像を表示し、上記判断手段が上記他部領域に文字を入力する操作が実行されたと判断したときには、上記一部領域にキーボード画面を表示するとともに、上記他部領域の一部に子画面を設定して映像を表示する手段と、
を備えることを特徴とする画面表示制御装置。
【請求項３】
ディスプレイを備え、請求項２記載の画面表示制御装置を備えるモニタ装置であって、
ベース装置との間の無線通信によって、ベース装置に対してコマンドを発行してベース装置から映像を受信するモニタ装置。
【発明の詳細な説明】
【０００１】
【発明の属する技術分野】
この発明は、ディスプレイ画面上に、メール作成画面などの文字入力画面、文字入力用のキーボード画面、およびテレビの映像やＤＶＤプレーヤで再生された映像などの映像を表示するための画面表示制御方法および画面表示制御装置に関する。
【０００２】
【従来の技術】
映像機器や情報機器では、ディスプレイ画面上に、一方で、テレビの映像やＤＶＤプレーヤで再生された映像などを表示するとともに、他方で、文字入力用のキーボード画面、または操作設定用やメッセージ表示用のダイアログ画面を表示することがある。
【０００３】
例えば、ディスプレイ画面上に電子メール作成用の画面を表示すると同時に、ディスプレイ画面の一部の領域である子画面にテレビなどの映像を表示して、テレビなどの映像を見ながらメールを作成できるようにし、この状態で、ディスプレイ画面の一部の領域に文字入力用のキーボード画面を表示することが考えられる。
【０００４】
また、ディスプレイ画面の全部または一部の領域に、テレビなどの映像を表示した状態で、ユーザの操作に基づいて、または機器の制御動作として、ディスプレイ画面上に、操作用や設定用の画面、またはガイドメッセージやエラーメッセージなどのメッセージ表示用の画面を、ダイアログ画面として表示することが考えられる。
【０００５】
【発明が解決しようとする課題】
しかしながら、前者の方法のように、子画面に映像を表示した状態で、ディスプレイ画面の一部の領域にキーボード画面を表示する場合、子画面がキーボード画面によって隠れてしまって、映像を視聴できなくなることがある。
【０００６】
また、後者の方法のように、ディスプレイ画面上に映像を表示した状態で、操作設定用またはメッセージ表示用のダイアログ画面を表示する場合、映像の一部または全部がダイアログ画面によって隠れてしまって、映像が見ずらくなり、または映像を視聴できなくなる。
【０００７】
そこで、この発明は、メール作成画面などの文字入力画面に文字を入力して電子メールの作成などを行う場合に、文字入力画面のいずれの領域に文字を入力するときにも、入力した文字を確認しながら文字を入力することができるとともに、映像を確実に視聴することができるようにしたものである。
【０００８】
【課題を解決するための手段】
この発明の画面表示制御方法は、
ディスプレイ画面上に、文字入力画面、文字入力用のキーボード画面および映像を表示する場合の画面表示制御方法であって、
ディスプレイ画面上に文字入力画面を表示している状態で、当該文字入力画面の一部領域に文字を入力する操作が実行されたときには、当該文字入力画面の上記一部領域と異なる他部領域にキーボード画面を表示するとともに、当該文字入力画面の上記一部領域の一部に子画面を設定して映像を表示し、当該文字入力画面の上記他部領域に文字を入力する操作が実行されたときには、当該文字入力画面の上記一部領域にキーボード画面を表示するとともに、当該文字入力画面の上記他部領域の一部に子画面を設定して映像を表示することを特徴とする。
【００１０】
上記の構成の、この発明の画面表示制御方法では、ユーザが文字入力画面の一部領域に文字を入力するときには、文字入力画面の他部領域にキーボード画面が表示され、文字入力画面の一部領域の一部に設定された子画面に映像が表示されるので、ユーザは入力した文字を確認しながら文字を入力することができるとともに、映像を確実に視聴することができ、ユーザが文字入力画面の他部領域に文字を入力するときには、文字入力画面の一部領域にキーボード画面が表示され、文字入力画面の他部領域の一部に設定された子画面に映像が表示されるので、ユーザは入力した文字を確認しながら文字を入力することができるとともに、映像を確実に視聴することができる。
【００１２】
【発明の実施の形態】
〔発明の一実施形態：図１〜図１２〕
住宅内などの限られたエリア内で構築される無線ＬＡＮ（Ｌｏｃａｌ  Ａｒｅａ  Ｎｅｔｗｏｒｋ）システムの一種として、テレビ放送の受信用のチューナが内蔵または接続され、モデムを介して電話回線が接続されるなど、情報ソースとして機能するベース装置と、このベース装置との間の無線通信によって、ベース装置に対してコマンドを発行して、ベース装置からテレビの映像を受信し、ベース装置を介してインターネット上の情報を受信して、ディスプレイ上に映像や情報を表示し、ベース装置を介して電子メールを送受信するモニタ装置とからなるシステムが考えられる。
【００１３】
以下、この発明を上記のシステムのモニタ装置に適用した場合を例に挙げて、この発明の一実施形態を示す。
【００１４】
（モニタ装置およびベース装置の概略構成：図１〜図４）
図１は、モニタ装置の一例の概略構成を示し、図２および図３は、ベース装置の一例の概略構成を示し、図４は、モニタ装置をスタンドによって自立させた状態を示す。
【００１５】
図１に示すように、モニタ装置１００の正面には、ＬＣＤ（液晶ディスプレイ）１０１が設けられ、その表示画面上には、タッチパネル１０３が設けられ、ＬＣＤ１０１の左右位置には、上部にスピーカ１０５，１０６が設けられ、下部に後述のベース装置２００との間の無線通信用のパッチアンテナ１０７，１０８が設けられる。
【００１６】
一方のパッチアンテナ１０７は、モニタ装置１００の前方側に半球面状の放射パターンを形成するものとされ、他方のパッチアンテナ１０８は、逆にモニタ装置１００の後方側に半球面状の放射パターンを形成するものとされて、各パッチアンテナ１０７，１０８の受信レベル情報に基づいて実際に送信および受信を行うパッチアンテナが選択されることによって、パッチアンテナ１０７，１０８全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００１７】
モニタ装置１００の正面の右側部分には、スピーカ１０６の下側に、インデックスボタン１１１、ジャンプボタン１１２、およびチャンネルボタン１１３，１１４が設けられ、正面の左側部分には、スピーカ１０５の下側に、充電ランプ（ＬＥＤ）１１５、およびメール自動送受信ランプ（ＬＥＤ）１１６が設けられる。
【００１８】
インデックスボタン１１１は、これを押すことによって、ＬＣＤ１０１上に図示するようなインデックス画面１１を表示するものであり、ユーザは、タッチペンまたは指で、いずれかのメニューにタッチすることによって、テレビの選局、ベース装置２００に接続された外部機器の操作、インターネットへのアクセス、メールの作成・送信、アルバムの表示・作成などを行うことができる。
【００１９】
ジャンプボタン１１２は、これを押すことによって、一つ前に受信していたチャンネルを受信することができるものであり、チャンネルボタン１１３は、これを押すことによって、ＬＣＤ１０１上に表示される操作画面が、テレビ→外部機器→インターネット→メール→アルバム→テレビの順に切り換えられるものであり、チャンネルボタン１１４は、これを押すことによって、ＬＣＤ１０１上に表示される操作画面が、上記の順とは逆の順に切り換えられるものである。
【００２０】
アルバムとは、デジタルカメラで撮影してメモリースティック（登録商標）に記録した画像を、ＬＣＤ１０１上に表示し、ＬＣＤ１０１上で加工し、ＬＣＤ１０１上で作成したメールに添付し、加工後にモニタ装置１００内またはメモリースティックに保存し、あるいは、テレビの映像を静止画として、またはメールで受信した画像やインターネット上で取得した画像などを、モニタ装置１００内またはメモリースティックに保存し、ＬＣＤ１０１上で加工し、ＬＣＤ１０１上で作成したメールに添付し、あるいは、モニタ装置１００内またはメモリースティックに保存されている画像をインターネット上にアップロードするなどである。
【００２１】
画像の加工としては、画像の色や明るさなどを変え、手書き入力によって画像に文字や絵などを加えることができる。
【００２２】
モニタ装置１００の上面には、タッチペン１１９が収納される溝部１２１、スタンバイランプ（ＬＥＤ）１２２、電源ボタン１２３、回線ランプ（ＬＥＤ）１２４、回線切断ボタン１２５、印刷ボタン１２６、消音ボタン１２７、音量増強ボタン１２８、および音量低減ボタン１２９が設けられる。
【００２３】
モニタ装置１００の左側面には、ＬＣＤ１０１の明るさを調整する摘み１３１、ヘッドホン接続用の端子１３２、ＵＳＢ（Ｕｎｉｖｅｒｓａｌ  ＳｅｒｉａｌＢｕｓ）端子１３３、キーボード接続用の端子１３４、およびＡＣパワーアダプタ接続用の端子１３５が設けられる。
【００２４】
モニタ装置１００の右側面には、メモリースティック１４１が装着されるスロット１４２、およびメモリースティック用のランプ（ＬＥＤ）１４３が設けられ、モニタ装置１００の底面には、充電端子１５１，１５２が設けられる。
【００２５】
モニタ装置１００の背面には、モニタ装置１００の把持用の手掛け部１６１が設けられるとともに、モニタ装置１００を自立させるためのＵ形のスタンド１６３が開閉可能に取り付けられ、図では省略したが、スタンド１６３で囲まれる部分にバッテリ収納部が設けられ、これにバッテリが収納される。
【００２６】
図２に示すように、ベース装置２００は、正面部２１０と後方部２２０を接合して一体化した構造とされ、正面部２１０の左右位置には、モニタ装置１００との間の無線通信用のパッチアンテナ２０７，２０８が設けられる。
【００２７】
モニタ装置１００のパッチアンテナ１０７，１０８と同様に、一方のパッチアンテナ２０７は、ベース装置２００の前方側に半球面状の放射パターンを形成するものとされ、他方のパッチアンテナ２０８は、逆にベース装置２００の後方側に半球面状の放射パターンを形成するものとされて、各パッチアンテナ２０７，２０８の受信レベル情報に基づいて実際に送信および受信を行うパッチアンテナが選択されることによって、パッチアンテナ２０７，２０８全体として、全球面状の放射パターンを有するアンテナが形成されて、ベース装置２００とモニタ装置１００との位置関係の如何にかかわらず、ベース装置２００とモニタ装置１００との間の無線通信が良好に行われるように構成される。
【００２８】
正面部２１０は、後方側に傾いたものとされ、その中央下部に、モニタ装置１００をベース装置２００に立て掛けるための支持体２１１が設けられ、支持体２１１の内側に、充電端子２０１，２０２が設けられ、支持体２１１の表面に、電源ランプ（ＬＥＤ）２０４が設けられ、正面部２１０の中央に、回線ランプ（ＬＥＤ）２０５が設けられる。
【００２９】
また、図３に示すように、後方部２２０の下部背面には、電源ボタン２３１、ＡＣパワーアダプタ接続用の端子２３２、ＶＨＦ／ＵＨＦ端子２３９、回線端子２４１、ＡＤＳＬモデムやＣＡＴＶモデムなどの接続用のイーサネット（登録商標）端子２４２、ＡＶマウス接続用の端子２４３，２４４、Ｓ映像入力端子２４５、映像音声入力端子２４６，２４７、映像音声出力端子２４８、およびプリンタ接続用のＵＳＢ端子２４９などが設けられる。
【００３０】
上述したモニタ装置１００およびベース装置２００では、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【００３１】
この場合、モニタ装置１００を手に持って使用することもできるが、図４に示すように、スタンド１６３を開いて、モニタ装置１００を適当な面上に適当な傾斜角で自立させることもできる。
【００３２】
また、モニタ装置１００をベース装置２００の正面部２１０に立て掛けて使用することもできる。この場合、モニタ装置１００の底面の充電端子１５１，１５２が、ベース装置２００の支持体２１１の内側の充電端子２０１，２０２に接触し、接続されることによって、モニタ装置１００に装着されたバッテリを、ベース装置２００によって充電することができる。
【００３３】
（ベース装置およびモニタ装置の機能ブロック構成：図５および図６）
図５は、ベース装置２００の機能ブロック構成の一例を示す。制御部２７０は、ＣＰＵ２７１、ＣＰＵ２７１が実行すべきプログラムや固定データなどが書き込まれたＲＯＭ２７２、およびＣＰＵ２７１のワークエリアなどとして機能するＲＡＭ２７３によって構成される。
【００３４】
ＶＨＦ／ＵＨＦ端子２３９には、ＶＨＦ／ＵＨＦアンテナ１が接続され、ＶＨＦ／ＵＨＦアンテナ１で受信された地上波テレビ放送信号が、ベース装置２００内のＶＨＦ／ＵＨＦチューナ２５９で選局復調され、さらに映像データおよび音声データに変換された上で、バス２７４に送出される。
【００３５】
回線端子２４１には、電話回線２が接続され、回線端子２４１は、回線インタフェース２６１およびモデム２６２を介してバス２７４に接続される。
【００３６】
映像音声入力端子２４６には、第１外部機器６として、例えばデジタルＣＳチューナやデジタルＢＳチューナなどが接続され、これからの映像データおよび音声データが、ベース装置２００内の外部入力インタフェース２６６を介して、バス２７４に送出される。
【００３７】
映像音声入力端子２４７には、第２外部機器７として、例えばＤＶＤプレーヤやハードディスクレコーダなどが接続され、これからの映像データおよび音声データが、ベース装置２００内の外部入力インタフェース２６７を介して、バス２７４に送出される。
【００３８】
端子２４３および２４４には、ＡＶマウス３および４が接続されるとともに、端子２４３および２４４は、ベース装置２００内のインタフェース２６３および２６４を介してバス２７４に接続され、制御部２７０からのコマンド信号によってＡＶマウス３および４の発光部から送出された赤外線遠隔操作信号が、第１外部機器６および第２外部機器７に設けられた受光部で受信されることによって、第１外部機器６および第２外部機器７が操作される。
【００３９】
ＵＳＢ端子２４９には、プリンタ９が接続され、バス２７４に送出された印刷用のコマンドおよびデータが、ＵＳＢインタフェース２６９を介してプリンタ９に供給される。
【００４０】
バス２７４には、無線通信部２８０が接続され、モニタ装置１００に送信されるべき各種のデータやコマンドが、無線通信部２８０において、所定の変調方式（例えばＤＳ−ＳＳ）で変調され、所定周波数帯（例えば２．４ＧＨｚ帯）の高周波信号に変換されて、パッチアンテナ２０７，２０８からモニタ装置１００に送信されるとともに、モニタ装置１００から送信されたコマンドや各種のデータが、パッチアンテナ２０７，２０８で受信され、無線通信部２８０において、周波数変換され、復調されて、バス２７４に送出される。
【００４１】
図６は、モニタ装置１００の機能ブロック構成の一例を示す。制御部１７０は、ＣＰＵ１７１、ＣＰＵ１７１が実行すべき後述の画面表示制御処理ルーチンを含むプログラムや固定データなどが書き込まれたＲＯＭ１７２、およびＣＰＵ１７１のワークエリアなどとして機能するＲＡＭ１７３によって構成される。
【００４２】
バス１７４には、画像ファイルなどが書き込まれるユーザメモリ１７５が接続されるとともに、図１に示したスロット１４２にメモリースティック１４１が装着されることによって、メモリースティック１４１が接続される。
【００４３】
バス１７４には、無線通信部１８０が接続され、ベース装置２００に送信されるべきコマンドや各種のデータが、無線通信部１８０において、所定の変調方式で変調され、所定周波数帯の高周波信号に変換されて、パッチアンテナ１０７，１０８からベース装置２００に送信されるとともに、ベース装置２００から送信された各種のデータやコマンドが、パッチアンテナ１０７，１０８で受信され、無線通信部１８０において、周波数変換され、復調されて、バス１７４に送出される。
【００４４】
バス１７４には、表示制御部１９１を介してＬＣＤ１０１が接続されるとともに、Ｄ／Ａコンバータ１９５および音声増幅回路１９６を介してスピーカ１０５，１０６が接続される。
【００４５】
また、タッチパネル１０３が、座標検出部１９３を介してバス１７４に接続されるとともに、図１に示したインデックスボタン１１１などを含む操作部１０９が、インタフェース１９９を介してバス１７４に接続される。
【００４６】
（画面表示制御：図７〜図１２）
上述したモニタ装置１００では、インターネット、メールまたはアルバムなどのメニュー（チャンネル）が選択されて、ＬＣＤ１０１上に、これらについての画面が表示される場合、同時に、ＬＣＤ１０１上の一部の領域の子画面に、テレビの映像や、ベース装置２００の映像音声入力端子２４６または２４７に接続された第１外部機器６または第２外部機器７からの映像などの映像を表示することができる。
【００４７】
例えば、図１のようなインデックス画面１１からメールを選択すると、図７に示すように、表示画面（ＬＣＤ１０１の画面）１０上には、メール送受信箱画面４０が表示される。このとき、表示画面１０の右上部に子画面操作ボタン群２０が表示され、そのうちの子画面入切ボタン２１にタッチすると、同図に示すように、表示画面１０の右下部に子画面１３が設定され、これに映像が表示される。
【００４８】
子画面入切ボタン２１は、子画面１３が設定される前には、「子画面入」と表示され、子画面１３が設定されると、「子画面切」と表示される。
【００４９】
子画面１３に表示される映像は、子画面１３の設定前に最後に見ていた映像である。例えば、メール選択前にＶＨＦの３チャンネルを視聴していたときには、ＶＨＦの３チャンネルの映像が表示される。
【００５０】
この状態で、プラスボタン２２にタッチすると、３チャンネル→４チャンネル→６チャンネルというような順序でテレビのチャンネルを変更することができ、マイナスボタン２３にタッチすると、逆の順序でテレビのチャンネルを変更することができる。
【００５１】
また、子画面入切ボタン２１にタッチすると、子画面１３を消すことができ、全画面ボタン２４にタッチすると、そのときの映像を表示画面１０全体に表示することができ、テレビまたは外部機器のメニュー（チャンネル）が選択された状態となる。
【００５２】
メール送受信箱画面４０としては、受信箱タブ４１または送信箱タブ４２が表示され、受信箱タブ４１には、受信メールの一覧が表示され、送信箱タブ４２には、送信済みのメール、送信待ちのメールおよび途中保存のメールの一覧が表示される。
【００５３】
表示画面１０の最下部には、ボタン３１〜３６からなるメール操作画面３０が表示される。ボタン３１〜３６の表示および機能は、メール画面として、どのような画面が表示されるかによって変化し、例えば、ボタン３３は、図７のようにメール送受信箱画面４０が表示された状態では「新規作成」と表示され、これにタッチすることによって、図８に示すように、表示画面１０上にメール作成画面５０が表示される。
【００５４】
メール作成画面５０は、題名入力欄５１、本文作成欄５２、宛先入力欄５３およびメールコピー送付先入力欄５４を備えるものとされる。
【００５５】
このメール作成画面５０の題名入力欄５１または本文作成欄５２にタッチすると、図９に示すように、表示画面１０の下部領域にキーボード画面６０が表示され、これを用いて、題名入力欄５１および本文作成欄５２に題名および本文を入力することができる。
【００５６】
このとき、図８のように表示画面１０の右下部に子画面１３が設定されていて、これに映像が表示されている場合には、後述の画面表示制御処理ルーチンによって、図９に子画面１４として示すように、子画面が表示画面１０の右上部の本文作成欄５２中に移動する。
【００５７】
また、図８のようにキーボード画面が表示されていない状態で、メール作成画面５０の宛先入力欄５３またはメールコピー送付先入力欄５４にタッチし、または、図９のように表示画面１０の下部領域にキーボード画面６０が表示されている状態で、キーボード画面６０上の入力終了ボタン６９にタッチして一旦、キーボード画面６０を閉じた上で、メール作成画面５０の宛先入力欄５３またはメールコピー送付先入力欄５４にタッチすると、表示画面１０の上部領域にキーボード画面が表示され、これを用いて、宛先入力欄５３およびメールコピー送付先入力欄５４に宛先およびメールコピー送付先を入力することができる。
【００５８】
このとき、図９のように表示画面１０の右上部に子画面１４が設定されていて、これに映像が表示されている場合には、後述の画面表示制御処理ルーチンによって、図８に子画面１３として示すように、子画面が表示画面１０の右下部に移動する。
【００５９】
したがって、いずれの場合にも、子画面がキーボード画面によって隠れてしまって映像を視聴できなくなるということがない。
【００６０】
一方、図８のように表示画面１０の右下部の子画面１３に映像が表示されている状態、または図９のように表示画面１０の右上部の子画面１４に映像が表示されている状態で、インデックスボタン１１１を押すと、図１０に示すように、表示画面１０上にインデックス画面１１が表示される。ただし、図１０は、表示画面１０の右下部の子画面１３に映像が表示されている場合である。
【００６１】
このとき、後述の画面表示制御処理ルーチンによって、インデックス画面１１は透過処理される。すなわち、いわゆるアルファ・ブレンディングによって、メール作成画面５０および子画面１３（または子画面１４）の映像と合成される。アルファ値（透明度または不透明度）は、０．０（完全に透明）と１．０（完全に不透明）との間の適切な値に設定される。
【００６２】
したがって、インデックス画面１１が透けて、その下に、メール作成画面５０および子画面１３（または子画面１４）の映像を、うっすらと見ることができる。
【００６３】
また、モニタ装置１００では、ダイアログ画面として、インデックス画面１１などの操作設定用の画面のほかに、ガイドメッセージやエラーメッセージなどのメッセージ表示用の画面が表示される。
【００６４】
例えば、図８のようにメール作成画面５０が表示されている状態で、メール操作画面３０中のボタン３５がタッチされると、「このメールを破棄しますか」というメッセージ画面がメール作成画面５０上に表示され、このメッセージ画面中の「ＯＫ」ボタンがタッチされると、作成中のメールが破棄される。
【００６５】
また、モニタ装置１００の使用中にバッテリ残量が所定量以下になると、ユーザにバッテリの充電を促すために、「バッテリがもう少しで切れます」というメッセージ画面が表示される。
【００６６】
このようにメッセージ画面がダイアログ画面として表示される場合、図８または図９のように子画面１３または１４に映像が表示されているとき、あるいは図１１に示すように表示画面１０の全域（ほぼ全域）に映像１６が表示されているときには、後述の画面表示制御処理ルーチンによって、そのメッセージ画面が透過処理される。
【００６７】
したがって、図１１のメッセージ画面１７に示すように、メッセージ画面が透けて、その下に、表示画面１０上の映像１６、あるいは図８または図９のような子画面１３または１４の映像を、うっすらと見ることができる。
【００６８】
なお、図１１は、表示画面１０上にテレビの映像が表示された直後の状態を示し、表示画面１０の最上部にはチャンネル表示画面１９が表示され、最下部には操作画面９０が表示される。
【００６９】
操作画面９０中のボタン９１にタッチすると、その時点の映像が静止画として表示され、ボタン９２にタッチすると、その時点の映像を静止画としてユーザメモリ１７５に保存することができ、ボタン９３にタッチすると、その時点の映像を静止画としてメモリースティック１４１に保存することができる。
【００７０】
ある時間、映像１６が表示されると、チャンネル表示画面１９および操作画面９０は消え、表示画面１０全域に映像１６が表示されるが、表示画面１０のいずれかの部分にタッチすると、再びチャンネル表示画面１９および操作画面９０が表示され、上記のような画面メモや画面保存などを行うことができる。
【００７１】
図１２は、上述したモニタ装置１００のＣＰＵ１７１が行う画面表示制御処理ルーチンの一例を示す。
【００７２】
この例の画面表示制御処理ルーチン７０では、ユーザの操作に基づいて、またはＣＰＵ１７１の制御動作として、表示画面１０上に各種の画面を表示するごとに画面表示制御処理を開始して、まずステップ７１で、キーボード画面を表示するか否かを判断し、キーボード画面ではない画面を表示する場合には、ステップ７１からステップ７２に進んで、ダイアログ画面を表示するか否かを判断する。
【００７３】
そして、図７に示したようなメール送受信箱画面４０や、図８に示したようなメール作成画面５０などの、ダイアログ画面ではないメイン画面を表示する場合には、ステップ７２からステップ７３に進んで、当該の画面を透過処理しないで表示する。
【００７４】
一方、図１または図１０に示したインデックス画面１１や、図１１に示したメッセージ画面１７などの、ダイアログ画面を表示する場合には、ステップ７２からステップ７４に進んで、表示画面１０の一部または全部の領域に映像が表示されているか否かを判断し、映像が表示されていないときには、ステップ７４からステップ７５に進んで、当該のダイアログ画面を透過処理しないで表示するが、映像が表示されているときには、ステップ７４からステップ７６に進んで、当該のダイアログ画面を透過処理して表示する。
【００７５】
ステップ７１で、キーボード画面を表示すると判断した場合には、ステップ７１からステップ８１に進んで、キーボード画面を表示する領域内に子画面が設定されているか否かを判断する。
【００７６】
すなわち、表示画面１０の下部領域にキーボード画面を表示するときには、図８のように下部領域内に子画面１３が設定されていて、これに映像が表示されているか否かを判断し、逆に表示画面１０の上部領域にキーボード画面を表示するときには、図９のように上部領域内に子画面１４が設定されていて、これに映像が表示されているか否かを判断する。
【００７７】
そして、キーボード画面を表示する領域内に子画面が設定されていないときには、ステップ８１からステップ８２に進んで、そのまま、キーボード画面を表示する。
【００７８】
一方、キーボード画面を表示する領域内に子画面が設定されているときには、ステップ８１からステップ８３に進んで、子画面をキーボード画面の表示領域外の領域内に移動させて映像を表示した上で、ステップ８４に進んで、キーボード画面を表示する。
【００７９】
すなわち、図８のように表示画面１０の下部領域内に子画面１３が設定されている状態で、下部領域にキーボード画面を表示する場合には、図９のように表示画面１０の上部領域内に子画面１４を設定して映像を表示した上で、下部領域にキーボード画面６０を表示し、逆に、図９のように表示画面１０の上部領域内に子画面１４が設定されている状態で、上部領域にキーボード画面を表示する場合には、図８のように表示画面１０の下部領域内に子画面１３を設定して映像を表示した上で、上部領域にキーボード画面を表示する。
【００８０】
したがって、図８のように表示画面１０の右下部の子画面１３に映像が表示されている状態で、図９のように表示画面１０の下部領域にキーボード画面６０が表示される場合には、ステップ７１，８１，８３，８４が順次、実行されることによって、図９に示したように表示画面１０の右上部に子画面１４が設定され、映像が表示される。
【００８１】
同様に、図９のように表示画面１０の右上部の子画面１４に映像が表示されている状態で、表示画面１０の上部領域にキーボード画面が表示される場合には、ステップ７１，８１，８３，８４が順次、実行されることによって、表示画面１０の右下部に子画面１３が設定され、映像が表示される。
【００８２】
また、図８または図９のように子画面１３または１４に映像が表示されている状態で、図１０のようにインデックス画面１１などのダイアログ画面が表示される場合、あるいは、図１１のように表示画面１０の全域（ほぼ全域）に映像１６が表示されている状態で、同図のようにメッセージ画面１７などのダイアログ画面が表示される場合には、ステップ７１，７２，７４，７６が順次、実行されることによって、インデックス画面１１やメッセージ画面１７などのダイアログ画面は、透過処理されて表示される。
【００８３】
なお、図９に示したようにメール作成画面５０の本文作成欄５２に本文の文章を入力する際に、本文の文章が子画面１４上にまたがる場合、本文の部分の画面を透過処理することによって、子画面１４の映像の視聴が妨害されないようにすることもできる。
【００８４】
〔他の実施形態〕
上述した実施形態は、この発明をモニタ装置とベース装置からなるシステムのモニタ装置に適用した場合であるが、この発明は、このようなモニタ装置に限らず、その他の映像機器または情報機器に適用することもできる。
【００８５】
【発明の効果】
上述したように、この発明によれば、メール作成画面などの文字入力画面に文字を入力して電子メールの作成などを行う場合に、文字入力画面のいずれの領域に文字を入力するときにも、入力した文字を確認しながら文字を入力することができるとともに、映像を確実に視聴することができる。
【図面の簡単な説明】
【図１】モニタ装置の一例を示す図である。
【図２】ベース装置の一例の正面および側面を示す図である。
【図３】ベース装置の一例の背面を示す図である。
【図４】モニタ装置をスタンドによって自立させた状態を示す図である。
【図５】ベース装置の機能ブロック構成の一例を示す図である。
【図６】モニタ装置の機能ブロック構成の一例を示す図である。
【図７】メール送受信箱画面および子画面が表示された状態を示す図である。
【図８】メール作成画面および子画面が表示された状態を示す図である。
【図９】メール作成画面、キーボード画面および子画面が表示された状態を示す図である。
【図１０】メール作成画面、子画面およびインデックス画面が表示された状態を示す図である。
【図１１】映像およびメッセージ画面が表示された状態を示す図である。
【図１２】画面表示制御処理ルーチンの一例を示す図である。
【符号の説明】
主要部については図中に全て記述したので、ここでは省略する。
【図１】
0004174651.tif 000002
【図２】
0004174651.tif 000003
【図３】
0004174651.tif 000004
【図４】
0004174651.tif 000005
【図５】
0004174651.tif 000006
【図６】
0004174651.tif 000007
【図７】
0004174651.tif 000008
【図８】
0004174651.tif 000009
【図９】
0004174651.tif 000010
【図１０】
0004174651.tif 000011
【図１１】
0004174651.tif 000012
【図１２】
0004174651.tif 000013